(57)【要約】【課題】冷媒回路（80）に非共沸混合冷媒が充填された空調機の複数方向吹きの室内ユニット（10）において、吹出部（16）の位置によって吹出空気の温度が相違することを抑制する。【解決手段】複数方向吹きの空調機の室内ユニット（10）において、軸方向から吸い込んだ空気を周方向へ吹き出す室内ファン（39）と、冷媒回路（80）に接続されると共に、室内ファン（39）の周囲を囲うように配置されて室内ファン（39）から吹き出された空気を冷媒と熱交換させる熱交換部（38）とを設ける。そして、熱交換部（38）を、周方向において互いに分断すると共に、冷媒回路（80）において互いに並列に接続された複数の熱交換器（48）により構成する。【選択図】図４
2008256316.tif 000002
【特許請求の範囲】
【請求項１】
軸方向から吸い込んだ空気を周方向へ吹き出す室内ファン（39）と、
非共沸混合冷媒が充填された冷媒回路（80）に接続されると共に、上記室内ファン（39）の周囲を囲うように配置されて該室内ファン（39）から吹き出された空気を冷媒と熱交換させる熱交換部（38）と、
上記室内ファン（39）と上記熱交換部（38）とを収容すると共に、互いに異なる複数の方向へ空気を吹き出す吹出部（16）が形成されたケーシング（34）とを備え、
上記熱交換部（38）が凝縮器となる暖房運転と該熱交換部（38）が蒸発器となる冷房運転との少なくとも一方を実行可能な空調機の室内ユニットであって、
上記熱交換部（38）は、周方向において互いに分断されると共に、上記冷媒回路（80）において互いに並列に接続された複数の熱交換器（48）により構成されていることを特徴とする空調機の室内ユニット。
【請求項２】
請求項１において、
上記熱交換部（38）を構成する各熱交換器（48）には、該熱交換器（48）の一端と他端との間を複数回往復するように蛇行する冷媒流通路（45）が形成されていることを特徴とする空調機の室内ユニット。
【請求項３】
請求項２において、
暖房運転を実行可能に構成される一方、
上記冷媒流通路（45）は、暖房運転における入口側の端部が上記室内ファン（39）の逆側に、出口側の端部が該室内ファン（39）側にそれぞれ配置されていることを特徴とする空調機の室内ユニット。
【請求項４】
請求項２において、
冷房運転を実行可能に構成される一方、
上記冷媒流通路（45）は、冷房運転における入口側の端部が上記室内ファン（39）の逆側に、出口側の端部が該室内ファン（39）側にそれぞれ配置されていることを特徴とする空調機の室内ユニット。
【請求項５】
請求項２乃至４の何れか１つにおいて、
上記各熱交換器（48）では、複数の冷媒流通路（45）が互いに並列に接続されていることを特徴とする空調機の室内ユニット。
【請求項６】
請求項２乃至５の何れか１つにおいて、
上記各熱交換器（48）では、複数の冷媒流通路（45）が室内ファン（39）の軸方向に配置されていることを特徴とする空調機の室内ユニット。
【請求項７】
請求項１乃至６の何れか１つにおいて、
上記熱交換部（38）は、それぞれが室内ファン（39）の軸方向から見てＬ字状に形成された２つの熱交換器（48）により構成されていることを特徴とする空調機の室内ユニット。
【請求項８】
請求項７において、
上記吹出部（16）は、Ｌ字状に形成された各熱交換器（48）の各辺に沿って形成された４つの吹出口（23）を備え、
上記各吹出口（23）からは、上記熱交換器（48）のうち該吹出口（23）に沿った部分を通過した空気が吹き出されることを特徴とする空調機の室内ユニット。
【請求項９】
請求項１乃至６の何れか１つにおいて、
上記熱交換部（38）は、それぞれがパネル状に形成された４つの熱交換器（48）により構成されていることを特徴とする空調機の室内ユニット。
【請求項１０】
請求項９において、
上記吹出部（16）は、各熱交換器（48）に沿って形成された４つの吹出口（23）を備え、
上記各吹出口（23）からは、該吹出口（23）に沿った熱交換器（48）を通過した空気が吹き出されることを特徴とする空調機の室内ユニット。
【請求項１１】
請求項８又は１０において、
上記ケーシング（34）には、矩形状に形成された下面の各辺に沿うように上記４つの吹出口（23）が形成される一方、
上記吹出部（16）は、上記ケーシング（34）の下面の角部に形成された角部吹出口（24）を備えていることを特徴とする空調機の室内ユニット。
【発明の詳細な説明】
【技術分野】
【０００１】
本発明は、互いに異なる複数の方向へ空気を吹き出す吹出部が形成された空調機の室内ユニットに関するものである。
【背景技術】
【０００２】
従来より、互いに異なる複数の方向へ空気を吹き出す吹出部が形成された空調機の室内ユニットが知られている。この種の室内ユニットでは、例えば室内ユニットの下面の各辺に沿って、吹出部を構成する吹出口が形成されている。この種の室内ユニットが特許文献１に開示されている。
【０００３】
具体的に、特許文献１の室内ユニットは、冷房運転と暖房運転とを実行可能な空気調和装置の室内ユニットである。この室内ユニットは、箱状のケーシングを備えている。ケーシング内には、送風機と熱交換器とが収容されている。送風機は、いわゆるターボファンである。送風機は、ケーシングの中央部に配置されている。熱交換器は、クロスフィンチューブ型の熱交換器である。熱交換器は、ロ字状に形成され、送風機の周囲を囲うように配置されている。この室内ユニットでは、送風機から周方向へ吹き出された空気が、その送風機の４方を囲う熱交換器を通過する。そして、熱交換器を通過する際に温度調節された空気が、各吹出口から吹き出される。
【０００４】
この種の４方吹きの室内ユニットでは、特許文献１のように、熱交換器が折り曲げられて送風機の周囲を囲むことができる形状に形成されている。このような形状の熱交換器では、冷媒流通路（パス）が、熱交換器の一端と他端との間を複数回往復するように形成すると流路長が長くなり過ぎるので、１回だけ往復するように形成されている。つまり、冷媒流通路は、その入口から流入した冷媒が熱交換器の一端と他端との間を１往復しただけで出口から流出するように形成されている。
【特許文献１】特開２００５−２４１２４３号公報
【発明の開示】
【発明が解決しようとする課題】
【０００５】
ところで、互いに異なる複数の方向へ空気を吹き出す吹出部が形成された、複数方向吹きの室内ユニットを備える空調機において、沸点が異なる２種類以上の冷媒が混合された非共沸混合冷媒を用いると、従来の室内ユニットでは、吹出部からの吹出空気の温度が、吹出部の位置によって相違するという問題が生じる。
【０００６】
この問題を暖房運転の場合について説明する。非共沸混合冷媒は、図９に示すように、気液二相の状態では一定圧力下でも乾き度に応じて温度が変化する。このため、非共沸混合冷媒を用いる空調機では、暖房運転時に室内熱交換器を流れる冷媒は、出口に近づくに従って温度が徐々に低下してゆく。
【０００７】
従って、図１０に示すような例えば４方吹きの室内ユニット（10）の室内熱交換器（48）において、出入口がある端部（60）側では、入口に近い熱交換器（48）の外側を流れる冷媒と、出口に近い熱交換器（48）の内側を流れる冷媒との温度差が比較的大きくなる。一方、逆の端部（61）側では、室内熱交換器（48）の内側の冷媒と室内熱交換器（48）の外側の冷媒との温度差がそれほど大きくならない。
【０００８】
そして、温度差が大きい方の端部（60）側では、室内熱交換器（48）の内側で加熱された空気と外側の冷媒との温度差が比較的大きくなるので、外側での熱交換量が比較的多くなる。このため、室内熱交換器（48）を通過して吹出口（23）から吹き出される空気の温度が比較的高くなる。一方、温度差が小さい方の端部（60）側では、熱交換器（48）の内側で加熱された空気と外側の冷媒との温度差がそれほど大きくならないので、外側での熱交換量がそれほど多くはならない。このため、吹出口（23）から吹き出される空気の温度はそれほど高くならない。
【０００９】
このように、複数方向吹きの室内ユニットを備える空調機で非共沸混合冷媒を用いると、暖房運転時に吹出空気の温度が吹出部（16）の位置によって相違してしまう。なお、この問題は、冷房運転時に室内熱交換器（48）の外側から冷媒が流入して内側から流出するように室内ユニットを構成すると、冷房運転の場合でも生じる。
【００１０】
本発明は、かかる点に鑑みてなされたものであり、その目的は、冷媒回路に非共沸混合冷媒が充填された空調機の複数方向吹きの室内ユニットにおいて、吹出部の位置によって吹出空気の温度が相違することを抑制することにある。
【課題を解決するための手段】
【００１１】
第１の発明は、軸方向から吸い込んだ空気を周方向へ吹き出す室内ファン（39）と、非共沸混合冷媒が充填された冷媒回路（80）に接続されると共に、上記室内ファン（39）の周囲を囲うように配置されて該室内ファン（39）から吹き出された空気を冷媒と熱交換させる熱交換部（38）と、上記室内ファン（39）と上記熱交換部（38）とを収容すると共に、互いに異なる複数の方向へ空気を吹き出す吹出部（16）が形成されたケーシング（34）とを備え、上記熱交換部（38）が凝縮器となる暖房運転と該熱交換部（38）が蒸発器となる冷房運転との少なくとも一方を実行可能な空調機の室内ユニット（10）を対象とする。そして、この空調機の室内ユニット（10）は、上記熱交換部（38）が、周方向において互いに分断されると共に、上記冷媒回路（80）において互いに並列に接続された複数の熱交換器（48）により構成されている。
【００１２】
第１の発明では、熱交換部（38）が、周方向において互いに分断されると共に、冷媒回路（80）において互いに並列に接続された複数の熱交換器（48）により構成されている。つまり、室内ファン（39）の周囲は、複数の熱交換器（48）によって囲われている。各熱交換器（48）は冷媒回路（80）において互いに並列に接続されているので、各熱交換器（48）で加熱又は冷却された空気の温度の平均値は比較的近い温度になる。そして、各熱交換器（48）で加熱又は冷却された空気は、それぞれ吹出部（16）から吹き出される。
【００１３】
第２の発明は、上記第１の発明において、上記熱交換部（38）を構成する各熱交換器（48）には、該熱交換器（48）の一端と他端との間を複数回往復するように蛇行する冷媒流通路（45）が形成されている。
【００１４】
第２の発明では、冷媒流通路（45）に流入した冷媒が、熱交換器（48）の一端と他端との間を複数回往復してから流出する。このため、冷媒流通路（45）が熱交換器（48）の一端と他端との間を１回だけ往復するように形成されている場合に比べて、冷媒が１回往復する間に低下する温度が小さくなる。そして、冷媒が一往復する間で見れば、熱交換器（48）の一端側の冷媒と他端側の冷媒との温度差が小さくなる。
【００１５】
第３の発明は、上記第２の発明において、暖房運転を実行可能に構成される一方、上記冷媒流通路（45）は、暖房運転における入口側の端部が上記室内ファン（39）の逆側に、出口側の端部が該室内ファン（39）側にそれぞれ配置されている。
【００１６】
第３の発明では、冷媒流通路（45）の暖房運転における入口側の端部が室内ファン（39）の逆側に位置して、出口側の端部が室内ファン（39）側に位置している。このため、暖房運転時の冷媒流通路（45）では、入口に近い室内ファン（39）の逆側を流れる冷媒の方が、出口に近い室内ファン（39）側を流れる冷媒に比べて温度が高くなる。
【００１７】
第４の発明は、上記第２の発明において、冷房運転を実行可能に構成される一方、上記冷媒流通路（45）は、冷房運転における入口側の端部が上記室内ファン（39）の逆側に、出口側の端部が該室内ファン（39）側にそれぞれ配置されている。
【００１８】
第４の発明では、冷媒流通路（45）の冷房運転における入口側の端部が室内ファン（39）の逆側に位置して、出口側の端部が室内ファン（39）側に位置している。このため、冷房運転時の冷媒流通路（45）では、入口に近い室内ファン（39）の逆側を流れる冷媒の方が、出口に近い室内ファン（39）側を流れる冷媒に比べて温度が低くなる。
【００１９】
第５の発明は、上記第２乃至第４の何れか１つの発明において、上記各熱交換器（48）では、複数の冷媒流通路（45）が互いに並列に接続されている。
【００２０】
第５の発明では、互いに並列に接続された複数の冷媒流通路（45）が各熱交換器（48）に形成されている。各熱交換器（48）では、冷媒流通路（45）の各々で加熱又は冷却された空気の温度の平均値が比較的近い温度になる。
【００２１】
第６の発明は、上記第２乃至第５の何れか１つの発明において、上記各熱交換器（48）では、複数の冷媒流通路（45）が室内ファン（39）の軸方向に配置されている。
【００２２】
第６の発明では、室内ファン（39）の軸方向に配置された複数の冷媒流通路（45）が各熱交換器（48）に形成されている。各熱交換器（48）を通過する空気は、暖房運転において１つの冷媒流通路（45）を流れる冷媒によって加熱又は冷却される。
【００２３】
第７の発明は、上記第１乃至第６の何れか１つの発明において、上記熱交換部（38）が、それぞれが室内ファン（39）の軸方向から見てＬ字状に形成された２つの熱交換器（48）により構成されている。
【００２４】
第７の発明では、熱交換部（38）を構成する２つの熱交換器（48）が、それぞれ室内ファン（39）の軸方向から見てＬ字状に形成されている。従って、１箇所を折り曲げるだけで熱交換器（48）が形成される。
【００２５】
第８の発明は、上記第７の発明において、上記吹出部（16）が、Ｌ字状に形成された各熱交換器（48）の各辺に沿って形成された４つの吹出口（23）を備え、上記各吹出口（23）からは、上記熱交換器（48）のうち該吹出口（23）に沿った部分を通過した空気が吹き出される。
【００２６】
第８の発明では、Ｌ字状の熱交換器（48）の一方の辺を通過した空気は、その一方の辺に沿う各吹出口（23）から吹き出され、他方の辺を通過した空気は、その他方の辺に沿う各吹出口（23）から吹き出される。２つのＬ字状の熱交換器（48）の間では、一方の辺を通過して吹出口（23）から吹き出された空気同士の温度が比較的近くなると共に、他方の辺を通過して吹出口（23）から吹き出された空気同士の温度も比較的近くなる。つまり、４つの吹出口（23）のうち、Ｌ字状の熱交換器（48）の一方の辺を通過した空気を吹き出す２つの吹出口（23）からの吹出空気の温度は近くなり、他方の辺を通過した空気を吹き出す残りの２つの吹出口（23）からの吹出空気の温度も近くなる。
【００２７】
第９の発明は、上記第１乃至第６の何れか１つの発明において、上記熱交換部（38）が、それぞれがパネル状に形成された４つの熱交換器（48）により構成されている。
【００２８】
第９の発明では、熱交換部（38）を構成する４つの熱交換器（48）が、それぞれパネル状に形成されている。従って、熱交換器（48）を折り曲げる必要がない。
【００２９】
第１０の発明は、上記第９の発明において、上記吹出部（16）は、各熱交換器（48）に沿って形成された４つの吹出口（23）を備え、上記各吹出口（23）からは、該吹出口（23）に沿った熱交換器（48）を通過した空気が吹き出される。
【００３０】
第１０の発明では、４つの熱交換器（48）は冷媒回路（80）に対して互いに並列に接続されているので、各熱交換器（48）を通過した空気の温度は比較的近くなる。そして、各熱交換器（48）を通過した空気は、その熱交換器（48）に沿う吹出口（23）から吹き出される。従って、各吹出口（23）から吹き出される空気の温度が比較的近くなる。
【００３１】
第１１の発明は、上記第８又は第１０の発明において、上記ケーシング（34）には、矩形状に形成された下面の各辺に沿うように上記４つの吹出口（23）が形成される一方、上記吹出部（16）は、上記ケーシング（34）の下面の角部に形成された角部吹出口（24）を備えている。
【００３２】
第１１の発明では、ケーシング（34）の下面の各辺に沿う４つの吹出口（23）に加えて、ケーシング（34）の下面の角部に角部吹出口（24）が形成されている。つまり、ケーシング（34）の下面の各辺に沿う４つの吹出口（23）のみが形成された室内ユニット（10）に比べて吹出面積が広くなっている。
【発明の効果】
【００３３】
本発明では、室内ファン（39）の周囲を囲う複数の熱交換器（48）の各々で加熱又は冷却された空気の温度の平均値が、比較的近い温度になる。つまり、熱交換部（38）を通過した空気のうち異なる熱交換器（48）を通過した空気の間では、温度の相違が比較的小さくなる。そして、熱交換器（48）は、熱交換部（38）を周方向において分断することによって構成されている。従って、従来のように熱交換部（38）を通過した空気の温度が、周方向に沿って徐々に変化してゆくような状態にはならず、周方向において互いに温度が同じになる場所が存在する。このため、吹出部（16）の位置によって吹出空気の温度が相違することを抑制することができる。そして、室内の位置によって居室者にあたる吹出空気の温度に温度差がある状態が緩和されるので、居室者の快適性を向上させることができる。
【００３４】
また、上記第２の発明では、冷媒が一往復する間で見れば、熱交換器（48）の一端側の冷媒と他端側の冷媒との温度差が小さくなるようにしている。このため、熱交換器（48）の一端側で加熱又は冷却された空気の温度と、他端側で加熱又は冷却された空気の温度との差が小さくなる。従って、吹出部（16）の位置によって吹出空気の温度が相違することを抑制することができる。
【００３５】
また、上記第３の発明では、暖房運転時の冷媒流通路（45）において、室内ファン（39）の逆側を流れる冷媒の方が、室内ファン（39）側を流れる冷媒に比べて温度が高くなるようにしている。このため、熱交換器（48）を通過する空気は、室内ファン（39）側で加熱された後でも、室内ファン（39）の逆側の冷媒との温度差が確保されるので、室内ファン（39）の逆側における空気と冷媒との熱交換量が比較的多くなる。従って、熱交換器（48）における空気と冷媒との熱交換量が増加するので、空調機の運転効率を向上させることができる。
【００３６】
また、上記第４の発明では、冷房運転時の冷媒流通路（45）において、室内ファン（39）の逆側を流れる冷媒の方が、室内ファン（39）側を流れる冷媒に比べて温度が低くなるようにしている。このため、熱交換器（48）を通過する空気は、室内ファン（39）側で冷却された後でも、室内ファン（39）の逆側の冷媒との温度差が確保されるので、室内ファン（39）の逆側における空気と冷媒との熱交換量が比較的多くなる。従って、熱交換器（48）における空気と冷媒との熱交換量が増加するので、空調機の運転効率を向上させることができる。
【００３７】
また、上記第５の発明では、熱交換器（48）における冷媒流通路（45）の各々で加熱又は冷却された空気の温度の平均値が比較的近い温度になる。従って、１つの熱交換器（48）を通過した空気のうち異なる冷媒流通路（45）を通過した空気の間での温度の相違が比較的小さいので、熱交換器（48）を通過する位置によって通過した空気の温度が相違することを抑制することができる。
【００３８】
また、上記第８の発明では、４つの吹出口（23）のうち２つの吹出口（23）からの吹出空気の温度が互いに近くなると共に、残りの２つの吹出口（23）からの吹出空気の温度も互いに近くなるようにしている。従って、従来のように４つの吹出口（23）の間で吹出空気の温度が相違することがないので、吹出口（23）によって吹出空気の温度が相違することを抑制することができる。
【００３９】
また、上記第１０の発明では、各熱交換器（48）を通過した空気をその熱交換器（48）に沿う吹出口（23）から吹き出すようにすることで、各吹出口（23）から吹き出される空気の温度が比較的近くなるようにしている。従って。吹出口（23）によって吹出空気の温度が相違することを抑制することができる。
【００４０】
また、上記第１１の発明では、ケーシング（34）の下面の各辺に沿う４つの吹出口（23）のみが形成された室内ユニット（10）に比べて吹出面積が広くなっている。よって、吹出口（23）から吹き出される空気の風速を低減させることができるので、吹出音が低減されて静音性の面から居室者の快適性を向上させることができ、吹出口（23）から吹き出されて居室者にあたる空気の風速が低減されてドラフト感の面から居室者の快適性を向上させることができる。
【発明を実施するための最良の形態】
【００４１】
以下、本発明の実施形態を図面に基づいて詳細に説明する。
【００４２】
本実施形態は、本発明に係る空調機の室内ユニット（10）を備える空調機（20）である。この空調機（20）は、図１に示すように、室外ユニット（15）と室内ユニット（10）とが接続された冷媒回路（80）を備えている。冷媒回路（80）には、冷媒が充填されている。冷媒には、非共沸混合冷媒（例えばＲ４０４Ａ、Ｒ４０７Ｃ）が用いられている。なお、冷媒回路（80）には、室内ユニット（13）が複数台接続されていてもよい。
【００４３】
《室外ユニットの構成》
室外ユニット（15）には室外回路（81）が収容されている。室外回路（81）には、圧縮機（75）、四路切換弁（74）、室外熱交換器（76）、及び膨張弁（77）が接続されている。
【００４４】
圧縮機（30）は、例えば高圧ドーム型の圧縮機として構成されている。室外熱交換器（76）は、クロスフィン式のフィン・アンド・チューブ型熱交換器として構成されている。膨張弁（77）は、開度可変の電子膨張弁として構成されている。なお、室外ユニット（15）内には、室外熱交換器（76）の近傍に室外ファンが設けられている（図示省略）。
【００４５】
圧縮機（75）の吐出側は、四路切換弁（74）の第１ポート（P1）に接続されている。圧縮機（75）の吸入側は、四路切換弁（74）の第３ポート（P3）に接続されている。室外熱交換器（76）のガス側は、四路切換弁（74）の第４ポート（P4）に接続されている。室外熱交換器（76）の液側は、膨張弁（77）に接続されている。膨張弁（77）は室外回路（81）の液側端に接続されている。四路切換弁（74）の第２ポート（P2）は室外回路（81）のガス側端に接続されている。
【００４６】
四路切換弁（74）は、第１ポート（P1）と第２ポート（P2）が互いに連通して第３ポート（P3）と第４ポート（P4）が互いに連通する第１状態（図１に実線で示す状態）と、第１ポート（P1）と第４ポート（P4）が互いに連通して第２ポート（P2）と第３ポート（P3）が互いに連通する第２状態（図１に破線で示す状態）とが切り換え可能となっている。
【００４７】
《室内ユニットの構成》
室内ユニット（10）は、図２に示すように、化粧パネル（27）の各辺に沿うように４つの吹出口（23）が形成された４方吹きの室内ユニット（10）である。４つの吹出口（23）は、吹出部（16）を構成している。室内ユニット（10）には室内回路（11）が収容されている。室内回路（11）には、ヘッダ（51）と熱交換部（38）と分流器（52）とが接続されている。ヘッダ（51）は熱交換部（38）のガス側に位置し、分流器（52）は熱交換部（38）の液側に位置している。
【００４８】
室内ユニット（10）は、ケーシング本体（26）と化粧パネル（27）とを有するケーシング（34）を備えている。ケーシング本体（26）は、図３に示すように、箱状に形成され、室内ファン（39）と熱交換部（38）とドレンパン（40）とを収容している。化粧パネル（27）は、ケーシング本体（26）の下面を覆うように取り付けられる。化粧パネル（27）がケーシング本体（26）に取り付けられた状態では、化粧パネル（27）が室内に露出する。
【００４９】
室内ファン（39）は、いわゆるターボファンである。室内ファン（39）は、ケーシング本体（26）の真ん中付近に配置され、後述する吸込口（22）の上側に位置している。室内ファン（39）は、ファンモータ（39a）と羽根車（39b）とを備えている。ファンモータ（39a）は、ケーシング本体（26）の天板に固定されている。羽根車（39b）は、ファンモータ（39a）の回転軸に連結されている。室内ファン（39）の下側には、吸込口（22）に連通するベルマウス（25）が設けられている。室内ファン（39）は、ベルマウス（25）を介して下側から吸い込んだ空気を周方向へ吹き出すように構成されている。
【００５０】
熱交換部（38）は、図４に示すように、室内ファン（39）の周囲を囲うように配置されている。熱交換部（38）は、周方向において角部で互いに分断された、４つの熱交換器（48a,48b,48c,48d）を備えている。各熱交換器（48）は、室内ファン（39）の４方にそれぞれ配置されている。４つの熱交換器（48a,48b,48c,48d）は、冷媒回路（80）において互いに並列に接続されている。
【００５１】
各熱交換器（48）は、クロスフィン式のフィン・アンド・チューブ型熱交換器である。各熱交換器（48）は、パネル状に形成されている。各熱交換器（48）には、図５に示すように、２つの冷媒流通路（45,45）が形成されている。各熱交換器（48）では、２つの冷媒流通路（45,45）が互いに並列に接続されている。また、各熱交換器（48）では、２つの冷媒流通路（45,45）が室内ファン（39）の軸方向（図３における上下方向）に並んでいる。
【００５２】
各冷媒流通路（45）は、Ｕ字状に形成された４本のＵ字伝熱管を接続することによって構成されている。各冷媒流通路（45）は、熱交換器（48）の一端と他端間との間を４回往復するように蛇行している。
【００５３】
具体的に、熱交換器（48）では、フィン（46）の横方向の一端側に２本のＵ字伝熱管が設けられ、フィン（46）の横方向の他端側に２本のＵ字伝熱管が設けられている。同じ側のＵ字伝熱管は、その直管部が縦方向に並ぶように設けられている。各冷媒流通路（45）は、Ｕ字伝熱管同士の端部を半円状の伝熱管によって接続することにより構成されている。半円状の伝熱管は、同じ側のＵ字伝熱管同士については、下側のＵ字伝熱管の上側端部と上側のＵ字伝熱管の下側端部とを接続し、異なる側のＵ字伝熱管同士については、上側のＵ字伝熱管の上側端部間を接続している。冷媒流通路（45）では、一端側の下側のＵ字伝熱管の下側端部と、他端側の下側のＵ字伝熱管の下側端部との何れか一方が、冷媒の入口（49a,49b）になり他方が出口（49a,49b）になる。冷媒流通路（45）の出入口（49a,49b）は、共に熱交換器（48）の長手方向の一方の端部に位置している。
【００５４】
また、各冷媒流通路（45,45）では、横方向から見て一端側のＵ字伝熱管の直管部が他端側のＵ字伝熱管の直管部と重ならないように、一端側のＵ字伝熱管が他端側のＵ字伝熱管に対して少しだけ下方にずらして設けられている。つまり、Ｕ字伝熱管の直管部の配列が、いわゆる千鳥配列になっている。
【００５５】
ケーシング本体（26）の４つの角部のうち対角の位置関係にある２つには、それぞれヘッダ（51）と分流器（52）とが１つずつ設けられている。各ヘッダ（51）からそれぞれ延びる冷媒配管は、ケーシング本体（26）内で合流して、ケーシング本体（26）の側面に設けられたガス側接続ポートに接続されている（図示省略）。各分流器（52）からそれぞれ延びる冷媒配管は、ケーシング本体（26）内で合流して、ケーシング本体（26）の側面に設けられた液側接続ポートに接続されている（図示省略）。
【００５６】
４つの熱交換器（48）のうち２つは、出入口（49a,49b）がある端部が一方のヘッダ（51）及び分流器（52）側を向くように配置され、残りの２つは出入口（49a,49b）がある端部が他方のヘッダ（51）及び分流器（52）側を向くように配置されている。各熱交換器（48）の２つの冷媒流通路（45,45）は共に、外側（室内ファン（39）の逆側）の出入口（49a）がヘッダ（51）に接続され、内側（室内ファン（39）側）の出入口（49b）が分流器（52）に接続されている。
【００５７】
ドレンパン（40）は、熱交換部（38）の下側に設けられている。ドレンパン（40）は、熱交換部（38）において空気中の水分が凝縮して生じるドレン水を受けるためのものである。ドレンパン（40）には、ドレン水を排水するためのドレンポンプが設けられている（図示省略）。ドレンパン（40）は、ドレンポンプを設置した箇所にドレン水が集まるように勾配がつけられている。
【００５８】
化粧パネル（27）には、１つの吸込口（22）と４つの吹出口（23,23,23,23）とが形成されている。吸込口（22）は、化粧パネル（27）の真ん中付近に形成されている。吸込口（22）の裏側には、吸込空気の塵埃を除去するためのフィルタ（28）が設けられている。吸込口（22）には、スリット状の開口が複数形成された吸込グリル（29）が嵌め込まれている。各吹出口（23）は、吸込口（22）の外側に形成されている。各吹出口（23）は、各熱交換器（48）とケーシング本体（26）の側壁との間の下方に位置しており、各熱交換器（48）に沿うように配置されている。
【００５９】
−空調機の運転動作−
空調機（20）は、暖房運転と冷房運転とを選択的に実行可能に構成されている。暖房運転と冷房運転との切り換えは、四路切換弁（74）によって行われる。なお、冷媒回路（80）に四路切換弁（74）を設けずに、暖房運転のみ実行可能に空調機（20）を構成してもよいし、冷房運転のみ実行可能に空調機（20）を構成してもよい。
【００６０】
<暖房運転>
暖房運転では、四路切換弁（74）が第１状態に設定される。そして、この状態で圧縮機（75）を運転すると、冷媒回路（80）では室外熱交換器（76）が蒸発器となって室内ユニット（10）の熱交換器（48）が凝縮器となる蒸気圧縮冷凍サイクルが行われる。なお、膨張弁（77）の開度は、例えば熱交換器（48）の出口の過冷却度が一定値（例えば５℃）になるように調節される。
【００６１】
具体的に、圧縮機（75）から吐出された冷媒は、室内ユニット（10）内で分岐して、各ヘッダ（51）へ流入する。各ヘッダ（51）に流入した冷媒は、２つの熱交換器（48）にそれぞれ２つずつ設けられた４つの冷媒流通路（45）に分岐する。
【００６２】
各冷媒流通路（45）では、冷媒が、熱交換器（48）の外側の出入口（49a）から流入し、外側の４つの直管部を下から順番に流れた後に内側の４つの直管部を上から順番に流れて、内側の出入口（49b）から流出する。その際、冷媒流通路（45）を流れる冷媒は、室内ファン（39）から吹き出されて熱交換器（48）を内側から外側へ向かって通過する空気と熱交換して凝縮する。
【００６３】
一方、各熱交換器（48）を通過する空気は、冷媒により加熱される。各熱交換器（48）は冷媒回路（80）に対して並列に接続されているので、各熱交換器（48）で加熱された空気の温度は概ね等しくなる。なお、熱交換器（48）を通過した直後は、上下方向に空気の温度分布があるが、すぐに混ざり合って温度が均一化される。そして、熱交換器（48）で加熱されて温度が均一化された空気が、その熱交換器（48）に沿うように形成された吹出口（23）から吹き出される。
【００６４】
ここで、この冷媒流通路（45）では、室内ファン（39）の逆側を高温の冷媒が流れ、室内ファン（39）側を低温の冷媒が流れる。従って、熱交換器（48）を通過する空気は、室内ファン（39）側で加熱された後でも室内ファン（39）の逆側の冷媒との温度差が比較的大きくなり、効率的に加熱される。
【００６５】
各冷媒流通路（45）で凝縮した冷媒は、分流器（52）に流入して、別の冷媒流通路（45）で冷却された冷媒と合流し、さらに別の分流器（52）から流出した冷媒と合流して、室内ユニット（10）から流出する。室内ユニット（10）から流出した冷媒は、室外ユニット（15）内で膨張弁（77）を通過する際に減圧され、その後に室外熱交換器（76）で室外空気と熱交換して蒸発する。そして、室外熱交換器（76）で蒸発した冷媒は、圧縮機（75）へ吸入されて再び圧縮される。
【００６６】
<冷房運転>
冷房運転では、四路切換弁（74）が第２状態に設定される。そして、この状態で圧縮機（75）を運転すると、冷媒回路（80）では室外熱交換器（76）が凝縮器となって室内ユニット（10）の熱交換器（48）が蒸発器となる蒸気圧縮冷凍サイクルが行われる。なお、膨張弁（77）の開度は、例えば熱交換器（48）の出口の過熱度が一定値（例えば５℃）になるように調節される。
【００６７】
具体的に、圧縮機（75）から吐出された冷媒は、室外熱交換器（76）で室外空気と熱交換して凝縮する。室外熱交換器（76）を凝縮した冷媒は、膨張弁（77）を通過する際に減圧され、室内ユニット（10）内で分岐して、各分流器（52）へ流入する。各分流器（52）に流入した冷媒は、２つの熱交換器（48）にそれぞれ２つずつ設けられた４つの冷媒流通路（45）に分岐する。
【００６８】
各冷媒流通路（45）では、冷媒が、熱交換器（48）の内側の出入口（49b）から流入し、内側の４つの直管部を下から順番に流れた後に外側の４つの直管部を上から順番に流れて、外側の出入口（49b）から流出する。その際、冷媒流通路（45）を流れる冷媒は、室内ファン（39）から吹き出されて熱交換器（48）を内側から外側へ向かって通過する空気と熱交換して蒸発する。
【００６９】
一方、各熱交換器（48）を通過する空気は、冷媒により冷却される。各熱交換器（48）は冷媒回路（80）に対して並列に接続されているので、各熱交換器（48）で冷却された空気の温度は概ね等しくなる。なお、熱交換器（48）を通過した直後は、上下方向に空気の温度分布があるが、すぐに混ざり合って温度が均一化される。そして、熱交換器（48）で加熱されて温度が均一化された空気が、その熱交換器（48）に沿うように形成された吹出口（23）から吹き出される。
【００７０】
各冷媒流通路（45）で蒸発した冷媒は、ヘッダ（51）に流入して、別の冷媒流通路（45）で冷却された冷媒と合流し、さらに別のヘッダ（51）から流出した冷媒と合流して、室内ユニット（10）から流出する。そして、室内ユニット（10）から流出した冷媒は、室外ユニット（15）に戻り、圧縮機（75）へ吸入されて再び圧縮される。
【００７１】
−実施形態の効果−
本実施形態では、各熱交換器（48）は冷媒回路（80）において互いに並列に接続されているので、各熱交換器（48）で加熱又は冷却された空気の温度の平均値は比較的近い温度になる。つまり、各熱交換器（48）を通過した空気の温度は互いに概ね等しくなる。従って、各吹出口（23）毎の吹出空気の温度が互いに概ね等しくすることができる。このため、従来のように熱交換部（38）を通過した空気の温度が、周方向に沿って徐々に変化してゆくような状態にはならず、吹出口（23）によって吹出空気の温度が相違することを抑制することができる。そして、室内の位置によって居室者にあたる吹出空気の温度に温度差がある状態が緩和されるので、居室者の快適性を向上させることができる。
【００７２】
また、本実施形態では、冷媒流通路（45）が熱交換器（48）の一端と他端との間を１回だけ往復するように形成されている場合に比べて、冷媒が１回往復する間に低下する温度が小さくなるので、冷媒が一往復する間で見れば、熱交換器（48）の一端側の冷媒と他端側の冷媒との温度差が小さくなる。このため、熱交換器（48）の一端側で温度調節された空気の温度と、他端側で温度調節された空気の温度との差が小さくなる。従って、吹出口（23）によって吹出空気の温度が相違することを抑制することができる。
【００７３】
また、本実施形態では、暖房運転時の冷媒流通路（45）において、室内ファン（39）の逆側を流れる冷媒の方が、室内ファン（39）側を流れる冷媒に比べて温度が高くなるようにしている。このため、熱交換器（48）を通過する空気は、室内ファン（39）側で加熱された後でも、室内ファン（39）の逆側の冷媒との温度差が確保されるので、室内ファン（39）の逆側における空気と冷媒との熱交換量が比較的多くなる。従って、熱交換器（48）における空気と冷媒との熱交換量が増加するので、空調機の運転効率を向上させることができる。
【００７４】
また、本実施形態では、熱交換器（48）における冷媒流通路（45）の各々で温度調節された空気の温度の平均値が比較的近い温度になる。従って、１つの熱交換器（48）を通過した空気のうち異なる冷媒流通路（45）を通過した空気の間での温度の相違が比較的小さいので、熱交換器（48）を通過する位置によって通過した空気の温度が相違することを抑制することができる。
【００７５】
−実施形態の変形例−
実施形態の変形例について説明する。この変形例では、図６に示すように、熱交換部（38）が、それぞれが室内ファン（39）の軸方向から見てＬ字状に形成された２つの熱交換器（48）により構成されている。
【００７６】
具体的に、各熱交換器（48）は、１箇所が折り曲げられてＬ字状に形成されている。２つの熱交換器（48a,48b）は、冷媒回路（80）において互いに並列に接続されている。熱交換器（48）には、平板状に形成された２つの平板部分と、これらの平板部分の間の曲板部分とが形成されている。各熱交換器（48）は、平板部分がケーシング本体（26）の側面に沿うように配置されている。これにより、一方の熱交換器（48）は室内ファン（39）の４方のうち２方を囲い、他方の熱交換器（48）は残りの２方を囲う状態になる。また、各吹出口（23）に熱交換器（48）の平板部分が１つずつ沿う状態になる。
【００７７】
各熱交換器（48）には、図７に示すように、４つの冷媒流通路（45,45）が設けられている。各熱交換器（48）では、４つの冷媒流通路（45,45）が互いに並列に接続されている。また、各熱交換器（48）では、４つの冷媒流通路（45,45）が室内ファン（39）の軸方向に並んでいる。
【００７８】
各冷媒流通路（45）は、２本のＵ字伝熱管を接続することによって構成されている。各冷媒流通路（45）は、熱交換器（48）の一端と他端間との間を２回往復するように蛇行している。具体的に、各冷媒流通路（45）は、熱交換器（48）のフィン（46）の横方向の一端側の部分と他端側の部分とにそれぞれ、１本のＵ字伝熱管をその直管部が縦方向に並ぶように挿通させてから、一端側のＵ字伝熱管の上側端部と他端側のＵ字伝熱管の上側端部とを半円状の伝熱管によって接続することにより構成する。
【００７９】
ケーシング本体（26）の４つの角部のうち１つには、ヘッダ（51）と分流器（52）とが１つずつ設けられている。各熱交換器（48）は、出入口（49a,49b）がある端部がヘッダ（51）及び分流器（52）側を向くように配置されている。各熱交換器（48）の４つの冷媒流通路（45,45）は共に、外側の出入口（49a）がヘッダ（51）に接続され、内側の出入口（49b）が分流器（52）に接続されている。
【００８０】
この変形例では、２つのＬ字状の熱交換器（48）の間で、出入口（49a,49b）側の辺を通過して吹出口（23）から吹き出された空気同士の温度が比較的近くなると共に、折り返し側の辺を通過して吹出口（23）から吹き出された空気同士の温度も比較的近くなる。つまり、４つの吹出口（23）のうち２つの吹出口（23）からの吹出空気の温度が互いに近くなると共に、残りの２つの吹出口（23）からの吹出空気の温度も互いに近くなる。従って、従来のように４つの吹出口（23）の間で吹出空気の温度が大きく相違することがないので、吹出口（23）によって吹出空気の温度が相違することを抑制することができる。
【００８１】
《その他の実施形態》
上記実施形態は、以下の変形例のように構成してもよい。
【００８２】
上記実施形態について、各熱交換器（48）における冷媒流通路（45,45）の内側の出入口（49b）をヘッダ（51）に接続し、外側の出入口（49a）を分流器（52）に接続してもよい。この場合、冷房運転時の冷媒流通路（45）において、室内ファン（39）の逆側を流れる冷媒の方が、室内ファン（39）側を流れる冷媒に比べて温度が低くなるので、熱交換器（48）を通過する空気は、室内ファン（39）側で冷却された後でも、室内ファン（39）の逆側の冷媒との温度差が確保される。従って、室内ファン（39）の逆側における空気と冷媒との熱交換量が比較的多くなるので、熱交換器（48）における空気と冷媒との熱交換量が増加し、空調機の運転効率を向上させることができる。
【００８３】
また、上記実施形態について、図８に示すように、ケーシング（34）の下面の角部にそれぞれ角部吹出口（24）が形成されていてもよい。角部吹出口（24）は、吹出口（23）と共に吹出部（16）を構成している。この場合、ケーシング（34）の下面の各辺に沿う４つの吹出口（23）のみが形成された室内ユニット（10）に比べて吹出面積が広くなる。よって、吹出口（23）から吹き出される空気の風速を低減させることができるので、吹出音が低減されて静音性の面から居室者の快適性を向上させることができ、吹出口（23）から吹き出されて居室者にあたる空気の風速が低減されてドラフト感の面から居室者の快適性を向上させることができる。
【００８４】
なお、以上の実施形態は、本質的に好ましい例示であって、本発明、その適用物、あるいはその用途の範囲を制限することを意図するものではない。
【産業上の利用可能性】
【００８５】
以上説明したように、本発明は、互いに異なる複数の方向へ空気を吹き出す吹出部が形成された空調機の室内ユニットについて有用である。
【図面の簡単な説明】
【００８６】
【図１】本発明の実施形態に係る空調機の冷媒回路の概略構成図である。
【図２】本発明の実施形態に係る空調機の室内ユニットを室内側から見た斜視図である。
【図３】本発明の実施形態に係る空調機の室内ユニットの断面図である。
【図４】本発明の実施形態に係る空調機の室内ユニットの内部の平面図である。
【図５】本発明の実施形態に係る空調機の室内ユニットの熱交換器の出入口側の端部の正面図である。
【図６】本発明の実施形態の変形例に係る空調機の室内ユニットの内部の平面図である。
【図７】本発明の実施形態の変形例に係る空調機の室内ユニットの熱交換器の出入口側の端部の正面図である。
【図８】その他の実施形態に係る空調機の室内ユニットを室内側から見た斜視図である。
【図９】一定圧力の下では気液二相状態の非共沸混合冷媒の温度が乾き度によって変化することを表すモリエル線図である。
【図１０】従来の空調機の室内ユニットの内部の平面図である。
【符号の説明】
【００８７】
10  室内ユニット
16  吹出部
23  吹出口
24  角部吹出口
34  ケーシング
38  熱交換部
39  室内ファン
45  冷媒流通路
48  熱交換器
80  冷媒回路
【図１】
2008256316.tif 000003
【図２】
2008256316.tif 000004
【図３】
2008256316.tif 000005
【図４】
2008256316.tif 000006
【図５】
2008256316.tif 000007
【図６】
2008256316.tif 000008
【図７】
2008256316.tif 000009
【図８】
2008256316.tif 000010
【図９】
2008256316.tif 000011
【図１０】
2008256316.tif 000012